(57)【要約】【課題】モバイル送信機及び／又は受信機の搭載面(３)、並びに少なくとも１つのアンテナ素子（５）を有することを特徴とする、モバイル送信機及び／又は受信機、特に携帯電話（２）テスト用のアンテナカプラ(１)である。【解決手段】取付金具（９）が搭載面（３）に配置されることを特徴とするモバイル送信機及び／又は受信機、特に携帯電話(２)テスト用のアンテナカプラ(１)である。【選択図】図４
2008533769.tif 000002
【特許請求の範囲】
【請求項１】
モバイル送信機及び／又は受信機、特に携帯電話（２）テスト用のアンテナカプラ（１）であって、
前記モバイル送信機及び／又は受信機の搭載面（３）と、少なくとも１つのアンテナ素子（５）とを有し、取付金具（９）が前記搭載面（３）上に配置されることを特徴とするアンテナカプラ（１）。
【請求項２】
前記取付金具（９）が、同じ又は異なる長さの直交する２つのアーム（１３）を備える請求項１に記載のアンテナカプラ。
【請求項３】
前記取付金具（９）が、ラスタ（１２）に沿って２方向の空間に移動可能なように配置される請求項１又は２に記載のアンテナカプラ。
【請求項４】
前記取付金具（９）が、前記搭載面（３）に面する側に１つ以上のピン（１０）を備える請求項１から３のいずれかに記載のアンテナカプラ。
【請求項５】
前記ピン（１０）が、前記搭載面（３）の開口部（１１）に差し込み可能である請求項４に記載のアンテナカプラ。
【請求項６】
前記開口部（１１）が、前記搭載面（３）に形成されたラスタ（１２）の交差点に配置される請求項５に記載のアンテナカプラ。
【請求項７】
前記ラスタ（１２）が、矩形状に形成される請求項６に記載のアンテナカプラ。
【請求項８】
前記ラスタ（１２）における前記開口部（１１）の間隔距離が一定である請求項５から７のいずれかに記載のアンテナカプラ。
【請求項９】
前記ラスタ（１２）における前記開口部（１１）の前記間隔距離が、両方の空間方向に略同一である請求項８に記載のアンテナカプラ。
【請求項１０】
少なくとも１つの保持素子（１４）を備える請求項１から９のいずれかに記載のアンテナカプラ。
【請求項１１】
前記少なくとも１つの保持素子（１４）が、前記ピン（１０）を備える請求項１０に記載のアンテナカプラ。
【請求項１２】
前記少なくとも１つの保持素子（１４）が、前記ピン（１０）により前記搭載面（３）の前記開口部（１１）に差し込み可能である請求項１１に記載のアンテナカプラ。
【請求項１３】
前記少なくとも１つの保持素子（１４）が、アーム（１５）を備える請求項１０から１２のいずれかに記載のアンテナカプラ。
【請求項１４】
前記少なくとも１つの保持素子（１４）が、前記アーム（１５）による前記モバイル送信機及び／又は受信機、特に前記携帯電話（２）の前記搭載面（３）への押し付けに適している請求項１３に記載のアンテナカプラ。
【請求項１５】
前記取付金具（９）に単一のピン(１０)だけが形成される請求項４に記載のアンテナカプラ。
【請求項１６】
前記単一のピン(１０)が、前記取付金具（９）の角（１７）に形成される請求項１５に記載のアンテナカプラ。
【請求項１７】
前記取付金具（９）が、前記単一ピン（１０）を軸に所望の角度位置に回転可能である請求項１５又は１６に記載のアンテナカプラ。
【請求項１８】
少なくとも２つのピン（１０）が前記取付金具（９）に形成されることで、前記取付金具（９）が前記搭載面（３）に回転可能に強固に固定される請求項４に記載のアンテナカプラ。
【発明の詳細な説明】
【技術分野】
【０００１】
本発明は、送信機及び／又は受信機、特にブルートゥース規格に準拠して動作する携帯電話又はモバイル機器をテストするためのアンテナカプラに関する。
【背景技術】
【０００２】
携帯電話テスト用アンテナカプラは、特許文献１で開示され、既に公知である。この従来のアンテナカプラを用いて、携帯電話用搭載素子がプリント回路基板に取り付けられている。ロッドアンテナは、特にダイポールアンテナとして動作し、ストリップライン技術によってプリント回路基板に形成されている。アンテナカプラの実質的な特性の１つとして、全放射電力に対する受容電力の比を特定するカップリング係数が挙げられる。従来の装置は、携帯電話のアンテナ位置の変化に対して非常に感度良く反応するため、搭載素子に取り付けられた携帯電話の種類毎にカップリング係数は異なる。
【０００３】
さらに、モバイル送信機及び／又は受信機、特に携帯電話テスト用のアンテナカプラが、特許文献２に開示されている。このアンテナカプラは、モバイル送信機及び／又は受信機用の搭載素子及び／又は搭載面と、少なくとも１つのアンテナ素子を備えている。ここでは、アンテナ素子は、ループとして形成され、空間的に少なくとも実質的に閉じたループである。
【０００４】
上記アンテナカプラの欠点は、特に、異なる構造形状の携帯電話を該アンテナカプラに対して確実にカップリングするように各搭載素子に配置出来ないことである。結果として、高水準のカップリング減衰が起こり、携帯電話テストが妨害されるか、完全に阻止される。
【０００５】
【特許文献１】独国特許第１９７  ３２  ６３９Ｃ１号明細書
【特許文献２】独国特許公開第１０１  ２９  ４０８Ａ１号明細書
【発明の開示】
【発明が解決しようとする課題】
【０００６】
したがって、本発明は、所望の送信機及び／又は受信機、例えば、異なる構造設計の携帯電話を、最適な方法で収容してテストするように設計されたアンテナカプラを提供することを目的とする。
【０００７】
本発明の目的は、請求項１に記載の特徴を有するアンテナカプラによって達成される。
【課題を解決するための手段】
【０００８】
いかなる形状の携帯電話でも、斜め配置によるカップリング減衰を起こさずに再現可能な位置に簡単に取り付けることができる取付金具が、搭載面に有利に配置されている。
【０００９】
さらに、本発明の有利な進展は従属項に示す。
【発明を実施するための最良の形態】
【００１０】
本発明を図面を参照して詳細に説明する。
本発明の測定を説明するために、先行技術の一実施形態に係わるアンテナカプラ１の平面図を図１に示す。アンテナカプラ１を使用して携帯電話２をテストする。この目的のため、搭載面３に取り付けられたアンテナカプラ１の搭載素子４により、携帯電話２をアンテナ素子５の上方に置く。ここで、アンテナ素子５は、空間的に少なくとも実質的に閉じたループとして設計されていることが好ましいが、例えば、ストリップラインロッド・アンテナ、又はスロット・アンテナとしても設計可能である。搭載素子４は、測定中の携帯電話２の所望位置の特定、及び位置ずれを防ぐことを目的とする。特に、この目的のために、搭載素子４は、携帯電話２を固定するための固定素子６を数個備えている。
【００１１】
携帯電話２の内部に破線で示す携帯電話２のアンテナ７は、前記搭載により、アンテナ素子５の上方に配置される。アンテナ７の正確な位置は外側から容易に判断できないため、アンテナ素子５上方でアンテナを正確に中心に配置するのは困難、即ち、面倒なキャリブレーションによってのみ可能である。アンテナ７が携帯電話の筐体８の中に完全に収容されている場合は、携帯電話２のテストがより困難な状況になる。異なる携帯電話２に対して正確な空間的位置調整を行う必要がある場合、これもまた難しくなる。
【００１２】
更に問題なのは、搭載素子４が、固定素子６間の所定の幅を超えないサイズの携帯電話２だけにしかに適していないことである。しかしながら、近頃、多くの携帯電話２は、カメラ付きなどの幅広い付加機能を考慮して、折りたたみ、または回転するような形状に非常に様々に設計されており、そのような携帯電話は、辛うじて搭載素子４に取り付けできるか、又は全く取り付けることができない。その結果、カップリング値が劇的に低下するため、テストできない場合がある。
【００１３】
本発明は、アンテナカプラ１を提案することで上記の問題を解決する。アンテナカプラ１によれば、任意の携帯電話２が確実にテスト可能になる。本発明により設計されるアンテナカプラ１の一実施形態の部品を図２（ａ）及び（ｂ）に概略図として示す。
【００１４】
本発明によれば、図２（ｂ）の斜視図及び下面図に示すように、取付金具９が提供される。これは、図２（ａ）に示すように、ピン１０によりアンテナカプラ１の搭載面３に取り付け可能である。ここでは、取付金具９は、略直交する、長さが異なってもよいアーム１３を２つ備えており、テスト対象である携帯電話２の搭載台となる。ピン１０は、取付金具９の搭載面３に面する側に配置され、アンテナカプラ１の搭載面３における開口部１１に挿入可能である。これらの開口部１１は、搭載面３上に矩形ラスタ１２状に配置される。開口部１１間の間隔距離は、両方の空間方向に略同一である。符号５’及び５”は、搭載面３の上面のマーキングを示し、搭載面３下方のループ状アンテナ素子５の位置に対応する。
【００１５】
取付金具９はラスタ１２上で調節可能であるため、任意の形状の携帯電話２をアンテナカプラ１上に置くことが可能であり、マーキングを適切に選択することで個々のモデルに対して位置を再現できる。これを達成するため、例えば、水平軸（ｘ軸）を文字でマーキングし、垂直軸（ｙ軸）を数字でマーキングして、所定の位置を簡単に位置決めできる。このため、取付金具９の角１７で固定されるピン１０を基準点として使用するのが好ましい。基準マーキングを図２（ａ）に一例として示すが、見やすくするために他の図面ではこれを省略する。
【００１６】
搭載面３上に取付金具９で異なる形状の携帯電話を位置決めする例を、図３〜図５に一例として概略的に示す。取付金具９のピン１０の位置は、差込位置を示すためにそれぞれ破線で示す。
【００１７】
図３及び図４に示す携帯電話は、それぞれ従来の携帯電話２とは異り、幅広い形状である。目に見えるアンテナ７を有していないため、従来のアンテナカプラ１ではテストに困難を伴うか、又は全くテストできない。しかしながら、本発明により設計されたアンテナカプラ１では簡単、且つ確実に位置決めできる。位置が望ましくない場合、例えば図４のように、より良くカップリングさせるために、ピンを再度位置決めすることで取付金具９の位置を簡単に変えることが出来る。ここでは、開口部１１にピン１０を差し込んだ状態の取付金具９を抜いて、例えば、更に左側の位置に再び挿入する。開口部１１間の間隔距離を適切にし、且つ取付金具９のピン１０間の間隔距離を適切に一致させることにより、十分なカップリングが得られる位置を携帯電話２の種類ごとに常に確実に見つけることができる。
【００１８】
図５は、折りたたみ式携帯電話２を示し、これもまた、本発明により設計したアンテナカプラ１及び取付金具９を使用して簡単な方法でテストできる。しかしながら、横向きに配置した携帯電話２の安定性を向上するために、また、携帯電話２が、バネ式であることが多いヒンジ１６を介して折り曲って閉じてしまうのを防ぐために、携帯電話２は、折り曲げて開いた状態でも搭載面３に配置可能であり、折曲がりにより閉状態になるのを適切な手段で防ぐことができる。
【００１９】
この目的のため、１つ以上の保持素子１４を設けることができる。適切な保持素子１４の一例を図２（ｃ）に示す。保持素子１４もまた、ピン１０を備えるため、搭載面３に差込可能であり、また、搭載面３に対して携帯電話２を押しつけるための傾斜アーム１５を備える。
【００２０】
したがって、図６に示すように、携帯電話２は、測定プロセス中に閉状態に折りたたまれないように、折り曲げて開いた状態で取付金具９に取り付け、１つ又は２つの保持素子１４で固定可能である。ピン１０を用いて、保持素子１４もまた、任意の所望の位置に移動可能であり、携帯電話２を最善の方法で搭載面３に対して押しつけることができる。
【００２１】
本発明に係わるアンテナカプラ１の設計の更なる態様は、取付金具９が回転可能な設計である。この目的のため、取付金具９には、基準点として使用するピン１０だけが設けられ、取付金具９の角１７に配置される。その結果、ピン１０は、開口部１１の１つに差し込み可能であり、そして、取付金具９は、このピン１０を軸に好適な位置に回転可能である。これによりまた、様々な形状の携帯電話２に対する位置決めが更に最適化され、カップリングが改善される。取付金具９の角度位置を読み取る目盛りを搭載面３に設けることが出来る。
【００２２】
本発明は、上記の実施形態に限定されない。特に、前記アンテナカプラは、所望の送信機及び／又は受信機、又は各送信装置及び／又は受信装置のテストに適切であり、好適には携帯電話２のテストに使用される。上記に示す、又は上記を特徴とする本発明の全ての特徴は、必要に応じて互いに併用できる。
【図面の簡単な説明】
【００２３】
【図１】図１は、従来のアンテナカプラの一実施形態を示す平面図である。
【図２】図２（ａ）〜（ｃ）は、本発明により設計したアンテナカプラの一実施形態の部品の概略図を示す。
【図３】図３は、本発明により設計したアンテナカプラ上の第１携帯電話の図を示す。
【図４】図４は、本発明により設計したアンテナカプラ上の第２携帯電話の図を示す。
【図５】図５は、本発明により設計したアンテナカプラ上の第３携帯電話の図を示す。
【図６】図６は、本発明により設計したアンテナカプラ上の第３携帯電話の第２の位置の図を示す。
【符号の説明】
【００２４】
１                      アンテナカプラ
２                      携帯電話
３                      搭載面
４                      搭載素子
５                      アンテナ素子
６                      固定素子
７                      アンテナ
８                      筐体
９                      取付金具
１０                    ピン
１１                    開口部
１２                    ラスタ
１３、１５              アーム
１４                    保持素子
１６                    ヒンジ
１７                    角
【図１】
2008533769.tif 000003
【図２】
2008533769.tif 000004
【図３】
2008533769.tif 000005
【図４】
2008533769.tif 000006
【図５】
2008533769.tif 000007
【図６】
2008533769.tif 000008
【手続補正書】
【提出日】平成18年9月8日(2006.9.8)
【手続補正１】
【補正対象書類名】特許請求の範囲
【補正対象項目名】全文
【補正方法】変更
【補正の内容】
【特許請求の範囲】
【請求項１】
モバイル送信機及び／又は受信機、特に携帯電話（２）テスト用のアンテナカプラ（１）であって、
前記モバイル送信機及び／又は受信機の搭載面（３）と、少なくとも１つのアンテナ素子（５）とを有し、取付金具（９）が前記搭載面（３）上に配置され、該前記取付金具（９）が、前記搭載面（３）に面する側に１つ以上のピン（１０）を備え、且つ単一のピン(１０)を軸に任意の所望の角度位置に回転可能であることを特徴とするアンテナカプラ（１）。
【請求項２】
前記取付金具（９）が、同じ又は異なる長さの直交する２つのアーム（１３）を備える請求項１に記載のアンテナカプラ。
【請求項３】
前記取付金具（９）が、ラスタ（１２）に沿って２方向の空間に移動可能なように配置される請求項１又は２に記載のアンテナカプラ。
【請求項４】
前記ピン（１０）が、前記搭載面（３）の開口部（１１）に差し込み可能である請求項１に記載のアンテナカプラ。
【請求項５】
前記開口部（１１）が、前記搭載面（３）に形成されたラスタ（１２）の交差点に配置される請求項４に記載のアンテナカプラ。
【請求項６】
前記ラスタ（１２）が、矩形状に形成される請求項５に記載のアンテナカプラ。
【請求項７】
前記ラスタ（１２）における前記開口部（１１）の間隔距離が一定である請求項４から６のいずれかに記載のアンテナカプラ。
【請求項８】
前記ラスタ（１２）における前記開口部（１１）の前記間隔距離が、両方の空間方向に略同一である請求項７に記載のアンテナカプラ。
【請求項９】
少なくとも１つの保持素子（１４）を備える請求項１から８のいずれかに記載のアンテナカプラ。
【請求項１０】
前記少なくとも１つの保持素子（１４）が、前記ピン（１０）を備える請求項９に記載のアンテナカプラ。
【請求項１１】
前記少なくとも１つの保持素子（１４）が、前記ピン（１０）により前記搭載面（３）の前記開口部（１１）に差し込み可能である請求項１０に記載のアンテナカプラ。
【請求項１２】
前記少なくとも１つの保持素子（１４）が、アーム（１５）を備える請求項９から１１のいずれかに記載のアンテナカプラ。
【請求項１３】
前記少なくとも１つの保持素子（１４）が、前記アーム（１５）による前記モバイル送信機及び／又は受信機、特に前記携帯電話（２）の前記搭載面（３）への押し付けに適している請求項１２に記載のアンテナカプラ。
【請求項１４】
前記取付金具（９）に単一のピン(１０)だけが形成される請求項１に記載のアンテナカプラ。
【請求項１５】
前記単一のピン(１０)が、前記取付金具（９）の角（１７）に形成される請求項１４に記載のアンテナカプラ。
【請求項１６】
少なくとも２つのピン（１０）が前記取付金具（９）に形成されることで、前記取付金具（９）が前記搭載面（３）に回転可能に強固に固定される請求項１に記載のアンテナカプラ。
【国際調査報告】
2008533769.tif 000009
2008533769.tif 000010
2008533769.tif 000011
2008533769.tif 000012
2008533769.tif 000013
2008533769.tif 000014